(57)【要約】【課題】  音声案内する内容を部分的に変更できる原稿画像読取記録装置を提供する。【解決手段】  再生順序データベース２１と、音声データベース２２と、通知手段により音声案内コードが通知された場合に、音声案内する場面になったことを報知する報知手段と、指示手段により音声案内の実行が指示された場合に、再生順序データベース２１を検索し、通知手段により通知された音声案内コードに対応する複数の音声内容をそれらの順序に従って抽出する音声内容抽出手段と、音声データベース２２を検索し、音声内容抽出手段により抽出された音声内容に対応するファイル名を順次抽出するファイル名抽出手段と、記憶手段により記憶されかつファイル名抽出手段により抽出されたファイル名と同じファイル名である音声データ２３を順次再生出力する再生出力手段と、を備えた。【選択図】      図３
2006262267.tif 000002
【特許請求の範囲】
【請求項１】
音声データを記憶する記憶手段と、
複数の音声内容を順序付けかつ音声案内コードに対応付けて記憶する再生順序データベースと、
音声データのファイル名を音声内容に対応付けて記憶する音声データベースと、
音声案内コードを通知する通知手段と、
この通知手段により音声案内コードが通知された場合に、音声案内する場面になったことを報知する報知手段と、
音声案内の実行を指示する指示手段と、
この指示手段により音声案内の実行が指示された場合に、前記再生順序データベースを検索し、前記通知手段により通知された音声案内コードに対応する複数の音声内容をそれらの順序に従って抽出する音声内容抽出手段と、
前記音声データベースを検索し、前記音声内容抽出手段により抽出された音声内容に対応するファイル名を順次抽出するファイル名抽出手段と、
前記記憶手段により記憶されかつ前記ファイル名抽出手段により抽出されたファイル名と同じファイル名である音声データを順次再生出力する再生出力手段と、
を備えたことを特徴とする原稿画像読取記録装置。
【請求項２】
音声データを記憶する記憶手段と、
複数の音声内容を順序付けかつ音声案内コードに対応付けて記憶する再生順序データベースと、
音声データのファイル名を音声内容に対応付けて記憶する音声データベースと、
音声案内コードを通知する通知手段と、
この通知手段により音声案内コードが通知された場合に、前記再生順序データベースを検索し、前記通知手段により通知された音声案内コードに対応する複数の音声内容をそれらの順序に従って抽出する音声内容抽出手段と、
前記音声データベースを検索し、前記音声内容抽出手段により抽出された音声内容に対応するファイル名を順次抽出するファイル名抽出手段と、
前記記憶手段により記憶されかつ前記ファイル名抽出手段により抽出されたファイル名と同じファイル名である音声データを順次再生出力する再生出力手段と、
を備えたことを特徴とする原稿画像読取記録装置。
【発明の詳細な説明】
【技術分野】
【０００１】
本発明は、音声案内機能を有する原稿画像読取記録装置に関するものである。
【背景技術】
【０００２】
従来のこの種の技術としては、例えば、音声案内する場面でその場面に応じた音声データを記憶手段から読み出して音声再生手段に再生出力させる音声案内手段を備えた、音声案内機能を有する装置が知られている（例えば、特許文献１参照。）。
【特許文献１】特開２００４−２１９４５３号公報（図４等）
【発明の開示】
【発明が解決しようとする課題】
【０００３】
しかしながら、上記のような装置において読み出される音声データを変更する場合は、新たな音声データを記憶手段に追加し、元の音声データの代わりにその新たな音声データが読み出されるようにする必要があるので、音声案内する内容を部分的に変更できないという問題点がある。
【０００４】
本発明は、以上のような問題点に鑑みてなされたものであり、音声案内する内容を部分的に変更できる原稿画像読取記録装置を提供することを目的とする。
【課題を解決するための手段】
【０００５】
上記目的を達成するための請求項１の発明は、音声データを記憶する記憶手段と、複数の音声内容を順序付けかつ音声案内コードに対応付けて記憶する再生順序データベースと、音声データのファイル名を音声内容に対応付けて記憶する音声データベースと、音声案内コードを通知する通知手段と、この通知手段により音声案内コードが通知された場合に、音声案内する場面になったことを報知する報知手段と、音声案内の実行を指示する指示手段と、この指示手段により音声案内の実行が指示された場合に、前記再生順序データベースを検索し、前記通知手段により通知された音声案内コードに対応する複数の音声内容をそれらの順序に従って抽出する音声内容抽出手段と、前記音声データベースを検索し、前記音声内容抽出手段により抽出された音声内容に対応するファイル名を順次抽出するファイル名抽出手段と、前記記憶手段により記憶されかつ前記ファイル名抽出手段により抽出されたファイル名と同じファイル名である音声データを順次再生出力する再生出力手段と、を備えたものである。
【０００６】
請求項２の発明は、音声データを記憶する記憶手段と、複数の音声内容を順序付けかつ音声案内コードに対応付けて記憶する再生順序データベースと、音声データのファイル名を音声内容に対応付けて記憶する音声データベースと、音声案内コードを通知する通知手段と、この通知手段により音声案内コードが通知された場合に、前記再生順序データベースを検索し、前記通知手段により通知された音声案内コードに対応する複数の音声内容をそれらの順序に従って抽出する音声内容抽出手段と、前記音声データベースを検索し、前記音声内容抽出手段により抽出された音声内容に対応するファイル名を順次抽出するファイル名抽出手段と、前記記憶手段により記憶されかつ前記ファイル名抽出手段により抽出されたファイル名と同じファイル名である音声データを順次再生出力する再生出力手段と、を備えたものである。
【発明の効果】
【０００７】
請求項１及び請求項２の発明によれば、再生順序データベースにおいて順序付けられた複数の音声内容のうちの少なくともいずれかを変更できるので、音声案内する内容を部分的に変更することができる。
【０００８】
また、請求項１の発明によれば、指示手段により音声案内の実行が指示された場合に再生順序データベースが検索されるように構成されているので、手動で音声案内を実行することができる。一方、請求項２の発明によれば、通知手段により音声案内コードが通知された場合に再生順序データベースが検索されるように構成されているので、自動で音声案内を実行することができる。
【発明を実施するための最良の形態】
【０００９】
以下、本発明の実施形態を図面に基づいて説明する。
本実施形態に係る原稿画像読取記録装置１は、図１に示すように、制御部２、フラッシュメモリ３、ＲＡＭ（Random Access Memory、随時書き込み読み出しメモリ）４、画像メモリ５、コーデック（ＣＯＤＥＣ）６、モデム７、ＮＣＵ（Network Control Unit、回線網制御装置）８、カードリード・ライト部９、ＬＡＮ（Local Area Network、構内ネットワーク）インターフェース（ＬＡＮ／ＩＦ）１０、ＵＳＢ（Universal Serial Bus）インターフェース（ＵＳＢ／ＩＦ）１１、再生出力部１２、記録部１３、読取部１４、操作部１５、及び表示部１６等を備えたものであり、各部２〜１６はバス１７を介して互いに通信可能に接続されている。
【００１０】
制御部２は、ＣＰＵ（Central Processing Unit、中央処理装置）等で構成されており、フラッシュメモリ３上の制御プログラム等に従って各部３〜１６の動作を制御する。
【００１１】
ＲＡＭ４は、原稿画像読取記録装置１に関する各種の情報〔例えば、ライフ情報（プリント枚数、読取枚数等）、機器設定情報（発信元名、発信元番号等）、ファクス（ＦＡＸ）送信履歴情報、格納履歴情報（コピー履歴、ファクス受信履歴等）、用紙サイズ情報、出力条件情報（原稿種類、濃度、倍率、部数等）〕を記憶する。
【００１２】
フラッシュメモリ３は、各部３〜１６の動作を制御するための制御プログラムの他、図２に示すように、再生順序データベース２１、音声データベース２２、及び音声データ２３等を記憶している。
【００１３】
再生順序データベース２１は、図３に示すように、複数の音声内容を順序付けかつ音声案内コードに対応付けて記憶していると共に、音声案内場面名も音声案内コードに対応付けて記憶している。なお、再生順序データベース２１の１レコード中の順序付けられた音声内容の数は図３のような３つ（第１音声内容、第２音声内容、第３音声内容）に限定されるものではなく、２つ以上であればよい。
【００１４】
音声データベース２２は、図４に示すように、音声データ２３のファイル名を音声内容に対応付けて記憶している。音声データ２３は、そのファイル名が対応する音声内容の通りに再生出力される音声の情報であってもよいし、そのファイル名が対応する音声内容とは異なる内容で再生出力される音声の情報であってもよい。このような音声データ２３のファイル形式としては、ＭＰ３〔MPEG（Moving Picture Experts Group）-1 Audio Layer-III）、ＷＭＡ〔Windows（登録商標） Media Audio〕、ＴｗｉｎＶＱ（Transform-Domain Weighted Interleave Vector Quantization）、ＷＡＶ、ＡＩＦＦ（Audio Interchange File Format）等が挙げられる。
【００１５】
コーデック６は、図１及び図２に示すように、フラッシュメモリ３上の音声データ２３を復号化する。再生出力部１２は、スピーカ等で構成されており、コーデック６により復号化された音声データ２３を再生出力する。
【００１６】
ＬＡＮインターフェース１０は、図１に示すように、ＬＡＮ３１に接続されている。このＬＡＮ３１は、インターネット３２に接続されている。これらＬＡＮ３１及びインターネット３２には、ダウンロードサイトとしてのｗｅｂサーバ３３が接続されている。このｗｅｂサーバ３３は、図５に示すように、更新用音声データベース４１及び更新用の音声データ２３等を記憶している。
【００１７】
更新用音声データベース４１は、図６に示すように、音声内容及び音声データ２３のファイル名を原稿画像読取記録装置１の機種名に対応付けて記憶している。
【００１８】
カードリード・ライト部９は、図１に示すように、着脱自在に装着された外部記憶媒体５１上のデータを読み出したり、その外部記憶媒体５１に適宜のデータを書き込んだりする。外部記憶媒体５１としては、メモリカード、超小型のハードディスクドライブ（ＨＤＤ）であるマイクロドライブ等が挙げられる。メモリカードとしては、コンパクトフラッシュ（登録商標）、スマートメディア（商標）、ｘＤピクチャーカード（登録商標）、マルチメディアカード（商標）、ＳＤカード、miniＳＤ（商標）カード、メモリスティック、メモリスティックＤｕｏ等が挙げられる。
【００１９】
読取部１４は、原稿の画像を画像データとして読み取る。画像メモリ５は、読み取られた画像データを一時的に記憶する。記録部１３は、記憶された画像データ等を電子写真方式等により記録用紙に記録（印刷）する。このように、原稿画像読取記録装置１は、原稿の画像を画像データとして読み取る読取手段、この読取手段により読み取られた画像データを記憶する画像データ記憶手段、及びこの画像データ記憶手段により記憶された画像データを記録用紙に記録する記録手段を備えている。
【００２０】
表示部１６は、操作部１５等に併設されたＬＣＤ（Liquid Crystal Display、液晶ディスプレイ）等で構成されており、各種の情報を表示する。操作部１５は、選択キー、入力キー、音声案内の実行を指示するための音声案内キー等、各種の操作をするための操作キー等を備えている。原稿画像読取記録装置１に対するユーザによる各種の操作は、この操作部１５を通じて行われる。なお、表示部１６をタッチパネルとしておき、このタッチパネルとしての表示部１６が操作部１５としても機能するように構成してもよい。
【００２１】
コーデック６は、音声データ２３の復号化の他、読み取られた画像データを送信等のためにＭＨ（Modified Huffman）方式、ＭＲ（Modified READ）方式、ＭＭＲ（Modified Modified READ）方式等により符号化したり、受信した画像データを復号化したりする。なお、コーデック６は、原稿画像読取記録装置１に接続した図示しない外部再生装置から入力された音声データを符号化する機能を有していてもよい。この場合、符号化された音声データは、フラッシュメモリ３に記憶されたファイル名又は操作部１５により入力されたファイル名などでフラッシュメモリ３に格納されるように構成しておけばよい。
【００２２】
モデム７は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ８は、ＰＳＴＮ（Public Switched Telephone Network、公衆電話交換網）５２に接続されており、電話回線を制御して電話をかけたり切ったりする。
【００２３】
上記のように構成された原稿画像読取記録装置１は、コピー機の他、ファクス通信機等としても機能する複合機である。なお、原稿画像読取記録装置１は、コピー機やファクス通信機の他、インターネットファクス通信機、ネットワークプリンタ、ネットワークスキャナ等として機能する複合機等であってもよい。
【００２４】
次に、音声データ２３の再生出力処理の一例を図７に示すフローチャートに基づいて説明する。なお、この処理及び後述の各処理は、フラッシュメモリ３上の制御プログラム等に基づいて制御部２が発行する命令に従って行われる。
【００２５】
この処理において、図示しないジャムセンサ、用紙量センサ、カバー開閉センサ等の適宜のセンサ等から図３のような音声案内コード（例えば、「１００」）が通知された場合は（ステップＳ１でＹＥＳ）、音声案内する場面（例えば、「紙づまり発生」）になったことが報知される（ステップＳ２）。一方、音声案内コードが通知されていない場合は（ステップＳ１でＮＯ）、ステップＳ１に戻る。
【００２６】
音声案内する場面になったことを報知する手段としては、音声案内キー等の操作キーを点滅させる点滅手段、その旨のメッセージを表示する表示手段等が挙げられる。なお、ここでいう「音声案内する場面」とは、音声案内の実行の必要が生じたときをいう。
【００２７】
そして、音声案内キー等の操作部１５により音声案内の実行が指示された場合は（ステップＳ３でＹＥＳ）、再生順序データベース２１が検索され、通知された音声案内コードに対応する複数の音声内容（例えば、「カバーを」、「開けて」、「下さい」）がそれらの順序に従って抽出される（ステップＳ４）。このように、通知手段により音声案内コードが通知された場合に、音声案内する場面になったことを報知する報知手段と、音声案内の実行を指示する指示手段とを設けておき、指示手段により音声案内の実行が指示された場合に、再生順序データベース２１が検索されるように構成しておけば、手動で音声案内を実行できるという利点がある。
【００２８】
次いで、図４のような音声データベース２２が検索され、抽出された音声内容に対応するファイル名（例えば、「1.mp3」、「2.mp3」、「6.mp3」）が順次抽出される（ステップＳ５）。そして、フラッシュメモリ３に記憶されかつ抽出されたファイル名と同じファイル名である音声データ２３が再生出力部１２から順次再生出力され（ステップＳ６）、処理が終了する。
【００２９】
例えば、音声案内する場面が「紙づまり発生」の場合は、３つの音声データ２３が順次再生出力される結果、「カバーを開けて下さい」等と音声案内される。同様に、「用紙切れ」の場合は、「用紙を入れて下さい」等と音声案内される。「カバーオープン」の場合は、「カバーを閉めて下さい」等と音声案内される。このように、図３のような再生順序データベース２１においては、音声案内する内容である一文を文節又は単語ごとに分割しておくことができる。なお、音声案内する内容を複数文で構成しておき、各文の音声データ２３が順次再生出力されるようにしてもよい。
【００３０】
次に、音声データ２３の再生出力処理の他例を図８に示すフローチャートに基づいて説明する。
この処理において、図示しない適宜のセンサ等から図３のような音声案内コード（例えば、「１００」）が通知された場合は（ステップＳ１１でＹＥＳ）、再生順序データベース２１が検索され、通知された音声案内コードに対応する複数の音声内容（例えば、「カバーを」、「開けて」、「下さい」）がそれらの順序に従って抽出される（ステップＳ１２）。一方、音声案内コードが通知されていない場合は（ステップＳ１１でＮＯ）、ステップＳ１１に戻る。このように、通知手段により音声案内コードが通知された場合に、再生順序データベース２１が検索されるように構成しておけば、自動で音声案内を実行できるという利点がある。
【００３１】
そして、図４のような音声データベース２２が検索され、抽出された音声内容に対応するファイル名（例えば、「1.mp3」、「2.mp3」、「6.mp3」）が順次抽出される（ステップＳ１３）。次いで、フラッシュメモリ３に記憶されかつ抽出されたファイル名と同じファイル名である音声データ２３が再生出力部１２から順次再生出力され（ステップＳ１４）、処理が終了する。
【００３２】
次に、音声データベース２２及び再生順序データベース２１の更新処理の一例を図９及び図１０に示すフローチャートに基づいて説明する。
この処理において、操作部１５による適宜の操作によって原稿画像読取記録装置１がダウンロードサイトとしてのｗｅｂサーバ３３にアクセスすれば（ステップＳ２１）、図１１に示すように、原稿画像読取記録装置１の表示部１６に機種名が一覧表示されると共に、機種名の選択を求めるメッセージ（例えば、「ご使用の装置の機種名を選択して下さい」）が表示される（ステップＳ２２）。機種名やその選択を求めるメッセージは、あらかじめｗｅｂサーバ３３又はフラッシュメモリ３に記憶されている。
【００３３】
そして、操作部１５により機種名（例えば、「V-2800」）が選択された場合は（ステップＳ２３でＹＥＳ）、ｗｅｂサーバ３３により更新用音声データベース４１が検索され、選択された機種名に対応する音声内容が抽出される（ステップＳ２４）。一方、機種名が選択されていない場合は（ステップＳ２３でＮＯ）、ステップＳ２３に戻る。なお、機種名の選択は、機種名と対応付けて表示部１６に表示される番号（例えば、「01」）を操作部１５により入力することによっても行うことができる。
【００３４】
抽出された音声内容は、図１２に示すように、原稿画像読取記録装置１の表示部１６に一覧表示されると共に、ダウンロードしたい音声内容の選択を求めるメッセージ（例えば、「ダウンロードしたい音声内容を選択して下さい」）が表示される（ステップＳ２５）。このメッセージは、あらかじめｗｅｂサーバ３３又はフラッシュメモリ３に記憶されている。
【００３５】
そして、操作部１５により音声内容（例えば、「なー」）が選択された場合は（ステップＳ２６でＹＥＳ）、ｗｅｂサーバ３３により更新用音声データベース４１が検索され、選択された音声内容に対応するファイル名（例えば、「XX.mp3」）が抽出される（ステップＳ２７）。一方、音声内容が選択されていない場合は（ステップＳ２６でＮＯ）、ステップＳ２６に戻る。なお、音声内容の選択は、音声内容と対応付けて表示部１６に表示される番号（例えば、「03」）を操作部１５により入力することによっても行うことができる。
【００３６】
選択された音声内容及び抽出されたファイル名は、図１３に示すように、ｗｅｂサーバ３３からダウンロードされて音声データベース２２に追加されると共に、ｗｅｂサーバ３３に記憶されかつ抽出されたファイル名と同じファイル名である音声データ２３がｗｅｂサーバ３３からダウンロードされてフラッシュメモリ３に記憶される（ステップＳ２８）。
【００３７】
次いで、図１４に示すように、現在の音声内容を、ダウンロードした音声内容に変更するか否かを尋ねるメッセージ（例えば、「現在の音声内容を、ダウンロードした音声内容に変更しますか？」）及びそれに対する回答（例えば、「はい」及び「いいえ」）が表示部１６に表示される（ステップＳ２９）。これらメッセージ及び回答は、あらかじめフラッシュメモリ３に記憶されている。
【００３８】
そして、音声内容を変更する旨の回答（例えば、「はい」）が操作部１５により選択された場合は（ステップＳ３０でＹＥＳ）、図１５に示すように、再生順序データベース２１に基づいて音声案内場面名及び音声内容が表示部１６に一覧表示されると共に、変更したい音声内容の選択を求めるメッセージ（例えば、「変更したい音声内容を選択して下さい」）が表示される（ステップＳ３１）。
【００３９】
一方、音声内容を変更しない旨の回答（例えば、「いいえ」）が操作部１５により選択された場合は（ステップＳ３０でＮＯ）、処理が終了する。ダウンロード時に音声内容を変更しない場合は、随時、操作部１５による操作によって、再生順序データベース２１における適宜の音声内容を音声データベース２２における適宜の音声内容に変更できるように構成しておけばよい。
【００４０】
次いで、操作部１５により音声内容（例えば、「紙づまり発生」における「下さい」）が選択された場合は（ステップＳ３２でＹＥＳ）、図１６に示すように、再生順序データベース２１において、選択された音声内容が、ダウンロードした音声内容に変更される（ステップＳ３３）。このように、音声案内する内容の一部（例えば、「下さい」）又は全部を関西弁のフレーズ（例えば、「なー」）等に変更することもできる。音声内容や音声データ２３の使用語は、標準語や関西弁の他、その他の地方の方言、英語等の外国語等であってもよい。
【００４１】
そして、図１７に示すように、再生順序データベース２１に基づいて音声案内場面名及び音声内容が表示部１６に一覧表示されると共に、他に変更したい音声内容があるか否かを尋ねるメッセージ（例えば、「他に変更したい音声内容がありますか？」）及びそれに対する回答（例えば、「あり」及び「なし」）が表示される（ステップＳ３４）。
【００４２】
次いで、他に変更したい音声内容がない旨の回答（例えば、「なし」）が操作部１５により選択された場合は（ステップＳ３５でＹＥＳ）、処理が終了する。一方、他に変更したい音声内容がある旨の回答（例えば、「あり」）が操作部１５により選択された場合は（ステップＳ３５でＹＥＳ）、ステップＳ３１に戻る。
【００４３】
なお、更新用音声データベース４１や更新用の音声データ２３を、外部記憶媒体５１、ＵＳＢインターフェース１１に接続された図示しないパーソナルコンピュータ等の外部装置、ＬＡＮ３１上の図示しない外部装置、又はインターネット３２上の図示しない外部装置等に格納しておき、それから既述と同様の処理で音声内容、ファイル名、及び音声データ２３を転送できるように構成してもよい。
【００４４】
上記のように構成された原稿画像読取記録装置１によれば、再生順序データベース２１において順序付けられた複数の音声内容のうちの少なくともいずれかを変更できるので、音声案内する内容を部分的に変更できるという利点がある。
【産業上の利用可能性】
【００４５】
以上のように、本発明に係る原稿画像読取記録装置は、音声案内する内容を部分的に変更するのに適している。
【図面の簡単な説明】
【００４６】
【図１】実施形態に係る原稿画像読取記録装置の構成例を示すブロック図。
【図２】フラッシュメモリの構成例を示すブロック図。
【図３】再生順序データベースの構成例を示すテーブル。
【図４】音声データベースの構成例を示すテーブル。
【図５】ｗｅｂサーバの構成例を示すブロック図。
【図６】更新用音声データベースの構成例を示すテーブル。
【図７】音声データの再生出力処理の一例を示すフローチャート。
【図８】音声データの再生出力処理の他例を示すフローチャート。
【図９】音声データベース及び再生順序データベースの更新処理の一例を示すフローチャート。
【図１０】音声データベース及び再生順序データベースの更新処理の一例を示すフローチャート。
【図１１】表示部に機種名を一覧表示すると共に、機種名の選択を求めるメッセージを表示した画面例を示す説明図。
【図１２】表示部に音声内容を一覧表示すると共に、ダウンロードしたい音声内容の選択を求めるメッセージを表示した画面例を示す説明図。
【図１３】更新後の音声データベースの構成例を示すテーブル。
【図１４】現在の音声内容を、ダウンロードした音声内容に変更するか否かを尋ねるメッセージ及びそれに対する回答を表示部に表示した画面例を示す説明図。
【図１５】表示部に音声案内場面名及び音声内容を一覧表示すると共に、変更したい音声内容の選択を求めるメッセージを表示した画面例を示す説明図。
【図１６】更新後の再生順序データベースの構成例を示すテーブル。
【図１７】表示部に音声案内場面名及び音声内容を一覧表示すると共に、他に変更したい音声内容があるか否かを尋ねるメッセージ及びそれに対する回答を表示した画面例を示す説明図。
【符号の説明】
【００４７】
１  原稿画像読取記録装置
２  制御部
３  フラッシュメモリ
４  ＲＡＭ
６  コーデック
１２  再生出力部
１５  操作部
２１  再生順序データベース
２２  音声データベース
２３  音声データ
【図１】
2006262267.tif 000003
【図２】
2006262267.tif 000004
【図３】
2006262267.tif 000005
【図４】
2006262267.tif 000006
【図５】
2006262267.tif 000007
【図６】
2006262267.tif 000008
【図７】
2006262267.tif 000009
【図８】
2006262267.tif 000010
【図９】
2006262267.tif 000011
【図１０】
2006262267.tif 000012
【図１１】
2006262267.tif 000013
【図１２】
2006262267.tif 000014
【図１３】
2006262267.tif 000015
【図１４】
2006262267.tif 000016
【図１５】
2006262267.tif 000017
【図１６】
2006262267.tif 000018
【図１７】
2006262267.tif 000019